(57)【要約】   【課題】  位置登録に関するトラヒック量を削減しつつ、パケットロスの少ないシームレスなハンドオーバーを実現する。  【解決手段】  空間制御サーバ１６は、ＭＮ２２が何れかのＡＲ１２の担当エリアにおいて、ネットワークに入る際に送信する位置登録要求を受信し、これに応答して、そのＡＲを含む複製転送範囲ノード群と、各ＡＲの担当エリアの集合体である複製転送エリアの境界をなす担当エリアにかかる境界ノードとを決定する。空間制御サーバ１６は、ＭＮ宛てのパケットを複製転送する機能を持つノードに対して、複製転送範囲ノード群を構成するＡＲに、パケットを複製して、それぞれに転送することを指示し、ＭＮ２２に対して、複製転送範囲ノード群および境界ノードを示す情報を送信する。ＭＮ２２が複製転送エリアに属する他の担当エリアに移動したときに、他の担当エリアにかかるノードが、境界ノードであると判断した場合に位置登録要求を送信する。【選択図】  図１
2006246125.tif 000002
【特許請求の範囲】
【請求項１】
ネットワークを介して相互に接続された複数のノードと、前記ノードを介したパケットを送受信する端末装置と、前記端末装置と通信可能な空間制御サーバとを備えたパケット通信システムにおいて、
前記空間制御サーバにおいて、端末装置が前記複数のノードのうちの、何れかの第１のノードの担当エリアにおいて、ネットワークに入る際に、端末装置から送信される位置登録要求を受信するステップと、
受信した位置登録要求に応答して、空間制御サーバにおいて、前記第１のノードを含む一群のノードを複製転送範囲ノード群と決定するとともに、前記複製転送範囲ノード群を構成するノードのうち、前記複製転送範囲ノード群の担当エリアの集合体である複製転送エリアの境界をなす担当エリアにかかるノードを境界ノードと決定するステップと、
前記空間制御サーバにおいて、前記端末装置宛てのパケットを複製転送する機能を持つノードに対して、前記複製転送範囲ノード群を構成するノードに、前記端末装置宛てのパケットを複製して、前記複製転送範囲ノード群を構成するノードのそれぞれに転送することを指示するステップと、
前記空間制御サーバにおいて、端末装置に対して、前記複製転送範囲ノード群および境界ノードを示す情報を送信するステップと、
前記空間制御サーバにおいて、前記端末装置が複製転送エリアに属する他の担当エリアに移動したときに、当該端末に送信された複製転送範囲ノード群および境界ノードを示す情報を参照して、当該担当エリアにかかるノードが、境界ノードであると判断した場合に送信される位置登録要求を受信するステップと、を備えたことを特徴とする通信制御方法。
【請求項２】
ネットワークを介して相互に接続された複数のノードと、前記ノードを介したパケットを送受信する端末装置と、を備えたパケット通信システムにおいて、
前記複数のノードのうちの何れかの第１のノードにおいて、端末装置が当該担当エリアにおいて、ネットワークに入る際に送信する位置登録要求を受信または転送するステップと、
前記端末装置が当該第１のノードの担当エリアに入ったことを契機に、前記第１のノードにおいて、当該第１のノードを含む一群のノードを複製転送範囲ノード群と決定するとともに、前記複製転送範囲ノード群を構成するノードのうち、前記複製転送範囲ノード群の担当エリアの集合体である複製転送エリアの境界をなす担当エリアにかかるノードを境界ノードと決定するステップと、
前記第１のノードにおいて、端末装置に対して、前記複製転送範囲ノード群および境界ノードを示す情報を送信するステップと、
前記端末装置が前記複製転送エリアに属する他の担当エリアに移動したときに、当該端末に送信された複製転送範囲ノード群および境界ノードを示す情報を参照して、当該担当エリアにかかるノードが、境界ノードであると判断した場合に送信される位置登録要求を当該境界ノードが受信するステップと、を備えたことを特徴とする通信制御方法。
【請求項３】
ネットワークを介して相互に接続された複数のノードと、前記ノードを介したパケットを送受信する端末装置と、前記端末装置の位置を管理する機能を備えたホームエージェントを備えたパケット通信システムにおいて、
前記ホームエージェントにおいて、前記複数のノードのうちの何れかの第１のノードにおいて、端末装置が当該担当エリアにおいて、ネットワークに入る際に送信する位置登録要求を受信するステップと、
前記位置登録要求に応答して、前記ホームエージェントにおいて、当該第１のノードを含む一群のノードを複製転送範囲ノード群と決定するとともに、前記複製転送範囲ノード群を構成するノードのうち、前記複製転送範囲ノード群の担当エリアの集合体である複製転送エリアの境界をなす担当エリアにかかるノードを境界ノードと決定するステップと、
前記ホームエージェントにおいて、端末装置に対して、前記複製転送範囲ノード群および境界ノードを示す情報を送信するステップと、
前記ホームエージェントにおいて、前記端末装置が前記複製転送エリアに属する他の担当エリアに移動したときに、当該端末装置に送信された複製転送範囲ノード群および境界ノードを示す情報を参照して、当該担当エリアにかかるノードが、境界ノードであると判断した場合に送信される位置登録要求を受信するステップと、を備えたことを特徴とする通信制御方法。
【請求項４】
前記複製転送範囲ノード群および境界ノードを決定するステップが、
前記第１のノードの担当エリアと空間的に所定の範囲内にある担当エリアを有するような、複数の第２のノードを選択するステップと、
前記第１のノードおよび第２のノードを、前記複製転送範囲ノード群と決定するステップと、
前記担当エリアのうち、空間的に最も外側に位置する担当エリアを有するような第２のノードを、境界ノードと決定するステップと、を有することを特徴とする請求項１ないし３に記載の方法。
【請求項５】
前記複製転送範囲ノード群および境界ノードを決定するステップが、
前記端末装置の移動方向および移動速度を考慮して、前記複製転送範囲ノード群を決定するステップを有することを特徴とする請求項４に記載の方法。
【請求項６】
ネットワークを介して相互に接続された複数のノードと、前記ノードを介したパケットを送受信する端末装置と、前記端末装置と通信可能な空間制御サーバとを備えたパケット通信システムであって、
前記空間制御サーバは、端末装置が前記複数のノードのうちの、何れかの第１のノードの担当エリアにおいて、ネットワークに入る際に、当該端末装置から送信される位置登録要求に応答して、前記第１のノードを含む一群のノードを複製転送範囲ノード群と決定する複製転送範囲ノード群決定手段と、
前記複製転送範囲ノード群を構成するノードのうち、前記複製転送範囲ノード群の担当エリアの集合体である複製転送エリアの境界をなす担当エリアにかかるノードを境界ノードと決定する境界ノード決定手段と、
前記端末装置宛てのパケットを複製転送する機能を持つノードに対して、前記複製転送範囲ノード群を構成するノードに、前記端末装置宛てのパケットを複製して、前記複製転送範囲ノード群を構成するノードのそれぞれに転送することを指示する転送指示手段と、
端末装置に対して、前記複製転送範囲ノード群および境界ノードを示す情報を送信する情報送信手段と、
前記端末装置が複製転送エリアに属する他の担当エリアに移動したときに、前記情報送信手段で送信された情報を参照して、当該担当エリアにかかるノードが、境界ノードであると判断した場合に送信される位置登録要求を受信する位置登録受信手段と、を有することを特徴とするパケット通信システム。
【請求項７】
ネットワークを介して相互に接続された複数のノードと、前記ノードを介したパケットを送受信する端末装置と、を備えたパケット通信システムであって、
前記複数のノードのうちの何れかの第１のノードが、
端末装置が当該第１のノードの担当エリアに入ったことを契機に、当該第１のノードを含む一群のノードを複製転送範囲ノード群と決定する複製転送範囲ノード群決定手段と、
前記複製転送範囲ノード群を構成するノードのうち、前記複製転送範囲ノード群の担当エリアの集合体である複製転送エリアの境界をなす担当エリアにかかるノードを境界ノードと決定する境界ノード決定手段と、
前記端末装置に対して、前記複製転送範囲ノード群および境界ノードを示す情報を送信する情報送信手段と、
前記境界ノードが
前記端末装置が複製転送エリアに属する他の担当エリアに移動したときに、前記情報送信手段で送信された情報を参照して、当該担当エリアにかかるノードが、境界ノードであると判断した場合に送信される位置登録要求を受信または転送する位置登録受信転送手段と、を有することを特徴とするパケット通信システム。
【請求項８】
前記複製転送範囲ノード群決定手段が、前記第１のノードの担当エリアと空間的に所定の範囲内にある担当エリアを有するような、複数の第２のノードを選択し、前記第１のノードおよび第２のノードを、前記複製転送範囲ノード群と決定するように構成され、
前記境界ノード決定手段が、前記担当エリアのうち、空間的に最も外側に位置する担当エリアを有するような第２のノードを、境界ノードと決定するように構成されたことを特徴とする請求項６または７に記載のシステム。
【請求項９】
前記複製転送範囲ノード群決定手段が、前記端末装置の移動方向および移動速度を考慮して、前記複製転送範囲ノード群を決定するように構成されたことを特徴とする請求項８に記載のシステム。
【発明の詳細な説明】
【技術分野】
【０００１】
本発明は、パケット通信システム、特に、移動体通信システムにおける通信制御方法に関する。
【背景技術】
【０００２】
モバイルＩＰによるＩＰモビリティの実現において、位置登録制御の効率化や高速ハンドオーバーが求められている。たとえば、位置登録においては、トラヒック量の削減、および、位置登録の際の処理負荷の削減が求められる。また、モバイルノード（ＭＮ）が高速移動していても、シームレスにハンドオーバーできるのが望ましい。
【０００３】
上述した問題点を解決するための代表的な技術に、ｎ−ｃａｓｔｉｎｇが知られている。ｎ−ｃａｓｔｉｎｇにおいては、ＭＮの移動先候補の複数のアクセスルータ（ＡＲ）でＭＮが使用可能な気付けアドレス（ＣｏＡ：Ｃａｒｅ  ｏｆ  Ａｄｄｒｅｓｓ）に予めパケットを送信し、そのパケットが送信されている範囲内であれば、ＭＮが、それぞれのＣｏＡ宛てに送信されたパケットを受信することにより、所定の移動先候補の複数のＡＲにより確定される範囲であれば、パケットロスの少ないシームレスにパケットを受信することが可能となる（たとえば、特許文献１、特許文献２、特許文献３）
【特許文献１】特開２００４−２２８７５４号公報
【特許文献２】特開２００２−８４５６２号公報
【特許文献３】特開２００３−２５９４５５号公報
【非特許文献１】張亮、小野夏子、木村徹、広重一仁、林秀樹著、「ＩＰモビリティにおける空間制御プラットフォームの実装と評価」、（社団法人電子情報通信学会、情報ネットワーク研究会、２００４年１２月１７日）
【発明の開示】
【発明が解決しようとする課題】
【０００４】
しかしながら、ｎ−ｃａｓｔｉｎｇを採用した場合、高速で、かつ、パケットロスの少ないハンドオーバーを実現できるが、位置登録に関するトラヒック量を削減することができないという問題点がある。
【０００５】
たとえば、非特許文献１に記載されたように、ＭＮがあるＡＲ（ＡＲ＃０）の配下に存在するときに、その移動先候補となるＡＲ群（ＡＲ＃１、ＡＲ＃２）を特定して、上記ＭＮが存在するＡＲおよび移動先候補のＡＲ群を含むようなエリアに、パケットを複製転送する技術が提案されている。これにより、一定のエリアにおいて、シームレスなハンドオーバーが実現できる。しかし、位置登録に関するトラヒック量の削減は実現できなかった。
【０００６】
また、特許文献３に記載されたように、ＭＮがある移動先候補のＡＲ群を含む複製転送が行われているエリア内を移動する時には位置登録を行わず、複製転送が行われているエリア外に出ると位置登録を行う技術が提案されている。これにより、一定のエリアにおいて、シームレスなハンドオーバーが実現でき、かつ位置登録に関するトラヒック量を削減することもできる。ただし、この技術において、ＡＲ群を含むようなエリアの変わり目で、パケットロスが生じる可能性があるという問題点があった。
【０００７】
本発明は、位置登録に関するトラヒック量を削減しつつ、パケットロスの少ないシームレスなハンドオーバーを実現できるシステムおよび方法を提供することを目的とする。
【課題を解決するための手段】
【０００８】
本発明においては、移動通信システムは、ルーティング／スイッチング、トンネリング等の単純なパケット毎の処理を行うネットワーク層（スイッチングプレーン）と、制御（例えば位置管理やｎ−ｃａｓｔｉｎｇ等の空間制御）やシグナリングを扱うモビリティ制御層（モビリティ制御プレーン）に分離される。モビリティ制御プレーンでは、モバイルノード（ＭＮ）などの端末装置からの位置登録要求を受信して、ホームアドレスと気付けアドレスとの対応を登録および管理し、該当するスイッチングプレーンのノードにホームアドレス宛のパケットを気付けアドレス宛てにトンネリングするよう指示する。また、ｎ−ｃａｓｔｉｎｇを行う際に、複製転送エリアおよび複製転送を行うノードを決定し、該当するスイッチングプレーンのノードにｎ−ｃａｓｔｉｎｇ処理を指示する。その一方、スイッチングプレーンでは、モビリティ制御プレーンの指示を受けて、ホームアドレス宛てのパケットを、気付けアドレス宛てにトンネリング（カプセル化）する他、ｎ−ｃａｓｔｉｎｇ処理を実行する。
【０００９】
本発明においては、複数のアクセスルータ（ＡＲ）のようなノードの担当エリアから構成される複製転送エリアが設定される。ここで、担当エリアとは、1つのＡＲが通信を提供する範囲(カバーエリア)を指す。また、複製転送エリアにおいて、複製転送エリアの境界を構成する担当エリアのノードが境界ノードと決定される。複製転送エリアおよび境界ノードを示す情報は、端末装置に通知される。端末装置は、複製転送エリアにおいて、境界ノード以外のノードの管轄下では、位置登録要求を送信せず、境界ノードの管轄下になったときのみ、位置登録要求を送信する。たとえば、空間制御サーバなど、ネットワークを介してのノードと通信が可能な制御装置が、上記複製転送エリアおよび境界ノードを決定する。
【００１０】
このように、境界ノード以外のノードの管轄下になった場合には、位置登録要求を送信しないことにより、位置登録処理の負荷を削減するとともに、トラヒック量を削減することができる。また、複製転送エリア間を端末装置が移動してハンドオーバーする場合にも、複製転送エリアを出る前に当該複製転送エリアに属する境界ノードにて当該境界ノードを含む新たな複製転送エリアを設定するため、パケットロスを回避することが可能となる。
【００１１】
より詳細には、本発明の目的は、
ネットワークを介して相互に接続された複数のノードと、前記ノードを介したパケットを送受信する端末装置と、前記端末装置と通信可能な空間制御サーバとを備えたパケット通信システムにおいて、前記空間制御サーバにおいて、端末装置が前記複数のノードのうちの、何れかの第１のノードの担当エリアにおいて、ネットワークに入る際に、端末装置から送信される位置登録要求を受信するステップと、受信した位置登録要求に応答して、空間制御サーバにおいて、前記第１のノードを含む一群のノードを複製転送範囲ノード群と決定するとともに、前記マクロセル群を構成するノードのうち、前記複製転送範囲ノード群の担当エリアの集合体である複製転送エリアの境界をなす担当エリアにかかるノードを境界ノードと決定するステップと、前記空間制御サーバにおいて、前記端末装置宛てのパケットを複製転送する機能を持つノードに対して、前記複製転送範囲ノード群を構成するノードに、前記端末装置宛てのパケットを複製して、前記複製転送範囲ノード群を構成するノードのそれぞれに転送することを指示するステップと、前記空間制御サーバにおいて、端末装置に対して、前記複製転送範囲ノード群および境界ノードを示す情報を送信するステップと、前記空間制御サーバにおいて、前記端末装置が複製転送エリアに属する他の担当エリアに移動したときに、当該端末に送信された複製転送範囲ノード群および境界ノードを示す情報を参照して、当該担当エリアにかかるノードが、境界ノードであると判断した場合に送信される位置登録要求を受信するステップと、を備えたことを特徴とする通信制御方法によって実現される。
【００１２】
本発明においては、空間制御サーバが、モビリティ制御プレーンに属する。また、ノードとして、アクセスルータを利用することができる。本発明によれば、端末装置は、複製転送エリア中を移動する際に、移動先の担当エリアにかかるノードが、境界ノードである場合を除き、位置登録要求を送信しない。したがって、位置登録に関するトラヒック量を削減することができる。また、境界ノードに位置したときには、位置登録要求を送信し、空間制御サーバが、これに応じて、新たな複製転送エリアを決定し、その情報を端末装置に通知する。これにより、複製転送エリアを更新する際にも、パケットロスが生じることを回避することが可能となる。
【００１３】
別の態様では、通信制御方法は、ネットワークを介して相互に接続された複数のノードと、前記ノードを介したパケットを送受信する端末装置と、を備えたパケット通信システムにおいて、前記複数のノードのうちの何れかの第１のノードにおいて、端末装置が当該担当エリアにおいて、ネットワークに入る際に送信する位置登録要求を受信または転送するステップと、前記端末装置が当該第１のノードの担当エリアに入ったことを契機に、前記第１のノードにおいて、当該第１のノードを含む一群のノードを複製転送範囲ノード群と決定するとともに、前記複製転送範囲ノード群を構成するノードのうち、前記複製転送範囲ノード群の担当エリアの集合体である複製転送エリアの境界をなす担当エリアにかかるノードを境界ノードと決定するステップと、前記第１のノードにおいて、端末装置に対して、前記複製転送範囲ノード群および境界ノードを示す情報を送信するステップと、前記端末装置が前記複製転送エリアに属する他の担当エリアに移動したときに、当該端末に送信された複製転送範囲ノード群および境界ノードを示す情報を参照して、当該担当エリアにかかるノードが、境界ノードであると判断した場合に送信される位置登録要求を当該境界ノードが受信するステップとを備えている。
【００１４】
さらに別の態様としては、通信制御方法は、ネットワークを介して相互に接続された複数のノードと、前記ノードを介したパケットを送受信する端末装置と、前記端末装置の位置を管理する機能を備えたホームエージェントを備えたパケット通信システムにおいて、前記ホームエージェントにおいて、前記複数のノードのうちの何れかの第１のノードにおいて、端末装置が当該担当エリアにおいて、ネットワークに入る際に送信する位置登録要求を受信するステップと、
前記位置登録要求に応答して、前記ホームエージェントにおいて、当該第１のノードを含む一群のノードを複製転送範囲ノード群と決定するとともに、前記複製転送範囲ノード群を構成するノードのうち、前記複製転送範囲ノード群の担当エリアの集合体である複製転送エリアの境界をなす担当エリアにかかるノードを境界ノードと決定するステップと、
前記ホームエージェントにおいて、端末装置に対して、前記複製転送範囲ノード群および境界ノードを示す情報を送信するステップと、
前記ホームエージェントにおいて、前記端末装置が前記複製転送エリアに属する他の担当エリアに移動したときに、当該端末装置に送信された複製転送範囲ノード群および境界ノードを示す情報を参照して、当該担当エリアにかかるノードが、境界ノードであると判断した場合に送信される位置登録要求を受信するステップと、を備えている。
【００１５】
好ましい実施態様においては、前記複製転送範囲ノード群および境界ノードを決定するステップが、前記第１のノードの担当エリアと空間的に所定の範囲内にある担当エリアを有するような、複数の第２のノードを選択するステップと、
前記第１のノードおよび第２のノードを、前記複製転送範囲ノード群と決定するステップと、前記担当エリアのうち、空間的に最も外側に位置する担当エリアを有するような第２のノードを、境界ノードと決定するステップと、を有する。
【００１６】
より好ましい実施態様においては、前記複製転送範囲ノード群および境界ノードを決定するステップが、前記端末装置の移動方向および移動速度を考慮して、前記複製転送範囲ノード群を決定するステップを有する。
【００１７】
また、本発明の目的は、 ネットワークを介して相互に接続された複数のノードと、前記ノードを介したパケットを送受信する端末装置と、前記端末装置と通信可能な空間制御サーバとを備えたパケット通信システムであって、前記空間制御サーバは、端末装置が前記複数のノードのうちの、何れかの第１のノードの担当エリアにおいて、ネットワークに入る際に、当該端末装置から送信される位置登録要求に応答して、前記第１のノードを含む一群のノードを複製転送範囲ノード群と決定する複製転送範囲ノード群決定手段と、前記複製転送範囲ノード群を構成するノードのうち、前記複製転送範囲ノード群の担当エリアの集合体である複製転送エリアの境界をなす担当エリアにかかるノードを境界ノードと決定する境界ノード決定手段と、前記端末装置宛てのパケットを複製転送する機能を持つノードに対して、前記複製転送範囲ノード群を構成するノードに、前記端末装置宛てのパケットを複製して、前記複製転送範囲ノード群を構成するノードのそれぞれに転送することを指示する転送指示手段と、端末装置に対して、前記複製転送範囲ノード群および境界ノードを示す情報を送信する情報送信手段と、前記端末装置が複製転送エリアに属する他の担当エリアに移動したときに、前記情報送信手段で送信された情報を参照して、当該担当エリアにかかるノードが、境界ノードであると判断した場合に送信される位置登録要求を受信する位置登録受信手段と、を有することを特徴とするパケット通信システムによって達成される。
【００１８】
また、本発明の目的は、ネットワークを介して相互に接続された複数のノードと、前記ノードを介したパケットを送受信する端末装置と、を備えたパケット通信システムであって、
前記複数のノードのうちの何れかの第１のノードが、端末装置が当該第１のノードの担当エリアに入ったことを契機に、当該第１のノードを含む一群のノードを複製転送範囲ノード群と決定する複製転送範囲ノード群決定手段と、前記複製転送範囲ノード群を構成するノードのうち、前記複製転送範囲ノード群の担当エリアの集合体である複製転送エリアの境界をなす担当エリアにかかるノードを境界ノードと決定する境界ノード決定手段と、
前記端末装置に対して、前記複製転送範囲ノード群および境界ノードを示す情報を送信する情報送信手段と、
前記境界ノードが、前記端末装置が複製転送エリアに属する他の担当エリアに移動したときに、前記情報送信手段で送信された情報を参照して、当該担当エリアにかかるノードが、境界ノードであると判断した場合に送信される位置登録要求を受信または転送する位置登録受信転送手段と、を有することを特徴とするパケット通信システムによって達成される。
【００１９】
好ましい実施態様においては、前記複製転送範囲ノード群決定手段が、前記第１のノードの担当エリアと空間的に所定の範囲内にある担当エリアを有するような、複数の第２のノードを選択し、前記第１のノードおよび第２のノードを、前記複製転送範囲ノード群と決定するように構成され、
前記境界ノード決定手段が、前記担当エリアのうち、空間的に最も外側に位置する担当エリアを有するような第２のノードを、境界ノードと決定するように構成されている。
【００２０】
さらに好ましい実施態様においては、前記複製転送範囲ノード群決定手段が、前記端末装置の移動方向および移動速度を考慮して、前記複製転送範囲ノード群を決定するように構成されている。
【発明の効果】
【００２１】
本発明によれば、位置登録に関するトラヒック量を削減しつつ、パケットロスの少ないシームレスなハンドオーバーを実現できるシステムおよび方法を提供することが可能となる。
【発明を実施するための最良の形態】
【００２２】
以下、添付図面を参照して、本発明の実施の形態について説明する。図１は、本実施の形態にかかる移動通信システムの概略を示すブロックダイヤグラムである。図１に示すように、移動通信システムにおいては、それぞれが一定の担当エリアを有する複数のアクセスルータ（ＡＲ）１２−１、１２−２、・・・が配置されている。ＡＲは、自己の担当エリアに属する端末装置（ＭＮ）２２からのパケットを転送し、或いは、自己の担当エリアの気付けアドレス（ＣｏＡ）宛てのパケットを転送する。図１において、ＡＲ１２−１、１２−２、・・・、１２−７のそれぞれの担当エリアが、符号１００−１、１００−２、・・・、１００−７で示されている。なお、場合により、ＡＲ１２−１、ＡＲ１２−２、・・・を、ＡＲ１，ＡＲ２、・・・とも称する。また、場合により、複製転送ノード１８−１、１８−２を、Ｒ１、Ｒ２とも称する。
【００２３】
また、本実施の形態においては、ホームエージェント（ＨＡ）１４のほか、空間制御サーバ１６、複製転送ノード１８−１、１８−２、・・・が、ネットワーク２０に接続される。本実施の形態では、移動通信システムが、ルーティング／スイッチング、トンネリング等の単純なパケット毎の処理を行うネットワーク層（スイッチングプレーン）と、制御（例えば位置管理やｎ−ｃａｓｔｉｎｇ等の空間制御）やシグナリングを扱うモビリティ制御層（モビリティ制御プレーン）とに分離されている。図１において、空間制御サーバ１６は、モビリティ制御プレーンに属し、シグナリングを管理制御し、動作の指示を、スイッチングプレーンを構成する装置に与える。また、図１において、ＡＲ１２、ＨＡ１４、複製転送ノード１８が、スイッチングプレーンに属し、空間制御サーバ１６からの指示にしたがって、パケットをフォワーディング・カプセリングするなどの処理を実行する。ＨＡ１４は、モバイルＩＰのホームエージェントの機能の内、ホームアドレス宛のパケットを気付けアドレス宛てに転送する機能を有する。なお、図１においては、モビリティ制御プレーンに属する装置として、空間制御サーバ１６のみを図示し、当該空間制御サーバ１６が、後述するような、シグナリングの管理制御のほか、ＭＮの位置登録も管理する。つまり、空間制御サーバ１６は、モバイルＩＰのホームエージェントが持つ位置管理の機能も備えている。しかしながら、モバイルＩＰのホームエージェントが持つ位置管理の機能を位置管理サーバとして、空間制御サーバと別体として設けて、モビリティ制御プレーンにおけるＭＮの位置を管理して、ＨＡ１４に対して必要な指示を与えるように構成しても良い。
【００２４】
本実施の形態においては、後述するように、空間制御サーバ１６が、それぞれのＭＮ２２について、パケットの複製を転送すべき複製転送エリアを決定する。複製転送ノード１８は、複製転送エリアに転送するためのパケットを複製し、複製転送エリアを構成する担当エリアのＡＲのそれぞれに、複製されたパケットを転送するような機能を有する。以下、複製転送エリアを構成する担当エリアをそれぞれ有するような一群のＡＲを、複製転送範囲ノード群とも称する。つまり、複製転送範囲ノード群を構成するＡＲのそれぞれの担当エリアの集合体を、複製転送エリアと考えることもできる。
【００２５】
図１においては、ＡＲ１２−１〜１２−４という複製転送範囲ノード群の担当エリア（符号１００１−１〜１００−４参照）の集合体が、第１の複製転送エリア１１０−１を形成し、ＡＲ１２−３〜１２−７という複製転送範囲ノード群の担当エリア（符号１００−３〜１００−７参照）の集合体が、第２の複製転送エリア１１０−２を形成している。しかしながら、複製転送エリアは、予め定められ、あるいは、固定されているものではなく、ＭＮの移動方向や移動速度などに基づいて、空間制御サーバ１６により決定されるものである。
【００２６】
さらに、本実施の形態においては、複製転送範囲ノード群を構成するＡＲのうち、その担当エリアが、複製転送エリアの空間的に最も外側に位置するＡＲを、境界ノードと称する。図１において、第１の複製転送エリア１１０−１に関しては、ＡＲ１２−１およびＡＲ１２−４が、境界ノードとなる。また、第２の複製転送エリア１１０−２に関しては、ＡＲ１２−３およびＡＲ１２−７が、境界ノードとなる。なお、図１においては、ＡＲが一次元的に配置されているため、物理的に両端に位置するＡＲが境界ノードとなっているが、実際には、複製転送エリアは二次元的或いは三次元的であり、複製転送エリアを取り囲むようなたんとうエリアを有するようなＡＲが、境界ノードとなり得る。
【００２７】
図２は、本実施の形態にかかる位置登録制御の概略を示す図である。たとえば、ＭＮ２２の電源を投入するなど、初めてアクセスネットワークに入るときには、ＭＮは位置登録や
後述する複製転送エリア設定要求を送信する。なお、図２の例においても、図１と同様、ＡＲ１〜ＡＲ４が複製転送範囲ノード群を構成し、その担当エリアの集合体により、第１の複製転送エリアが形成され、ＡＲ１およびＡＲ４が、第１の複製転送エリアに関する境界ノードとなる。
【００２８】
図２の例において、たとえば、ＡＲ１２−１の担当エリア１００−１で、ＭＮ２２の電源が投入されると、ＭＮ２２は、ＡＲ１２−１を介して、位置登録要求を送信する。後述するように空間制御サーバ１６から、複製転送エリアを構成する担当エリアのそれぞれを有するようなＡＲを示す情報などが、ＭＮ２２に通知され、ＭＮは複製転送エリアに関する複製転送範囲ノード群を構成するＡＲの情報を把握することができる。
【００２９】
たとえば、ＭＮ２２が移動して、境界ノードではないＡＲ１２−２の担当エリア１００−２に位置したときには、位置登録は実行されない。同様に、ＭＮ２２が、境界ノードではないＡＲ１２−３の担当エリア１００−３に位置したときも、位置登録は実行されない。なお、ある複製転送エリア中では、複製転送エリアを構成する担当エリアのそれぞれのＡＲを介して、複製されたパケットが転送（ｎ−ｃａｓｔｉｎｇ）される。
【００３０】
これに対して、ＭＮ２２がさらに移動して、境界ノードであるＡＲ１２−４の担当エリア１００−４に位置したときには、位置登録要求が送信される。この位置登録要求では、空間制御サーバ１６から、新たな複製転送エリアに関する複製転送範囲ノード群を構成するＡＲの情報がＭＮ２２に通知される。より詳細な処理シーケンスについては後述する。
【００３１】
図３（ａ）は、本実施の形態にかかるＭＮ２２の構成を示すブロックダイヤグラムである。図３（ａ）において、ＭＮ２２の従来と同様の機能、たとえば、パケット送受信などを実現する構成部分については記載を省略し、本発明にかかる位置登録要求などに関する構成部分のみを示している。図３（ａ）に示すように、ＭＮ２２は、電源投入時など初めてアクセスネットワークに入るときや、境界ノードの担当エリアに位置したときに、位置登録要求を送信し、また、位置登録に関する必要な情報を受信する位置登録要求部３０と、自己が属する複製転送エリアに関する複製転送範囲ノード群を構成するＡＲの情報を含むＡＲテーブル３４を生成するＡＲテーブル生成部３２と、複製転送エリアにおけるすべてのＣｏＡを生成して、ＣｏＡテーブル３８に記憶するＣｏＡ生成部３６と、を有している。ＡＲテーブル３４の構成については後に詳述する。
【００３２】
図４および図５は、本実施の形態にかかる移動通信システムにおけるＭＮの位置登録処理を示すフローチャートである。たとえば、ＭＮ２２が、ＡＲ１（図１のＡＲ１２−１に相当）の担当エリアにおいて、電源を投入するなど、初めてアクセスネットワークに入ったと考える。ＭＮ２２は、ＡＲ１を介して空間制御サーバ１６に対して位置登録要求を送信する（ステップ４０１）。前述したように、本実施の形態においては、空間制御サーバ１６が、位置登録の機能も備えており、空間制御サーバ１６は、位置登録要求にしたがって、ＭＮ２２の位置を登録する（ステップ４０２）。また、空間制御サーバ１６は、位置登録要求に基づいて、ホームアドレスとＣｏＡとの対応を記憶し、ＨＡ１４に対して、パケットのトンネリングを実現するための指示を与える（ステップ４０３）。空間制御サーバ１６は、ＭＮ２２の位置に基づいて、パケットの複製転送先となる、複製転送エリアに関する複製転送範囲ノード群を決定する（ステップ４０４）。この例では、ステップ４０４において、空間制御サーバ１６は、ＡＲ１〜ＡＲ４を、複製転送エリアに関する複製転送範囲ノード群とし、かつ、ＡＲ１およびＡＲ４を、境界ノードと決定する。また、ステップ４０４においては、複製転送機能を有するノードである複製転送ノード（図１の符号１８−１参照）も決定される。
【００３３】
空間制御サーバ１６は、決定された複製転送ノード１８−１に対して、パケットの複製転送、つまり、ｎ−ｃａｓｔｉｎｇを指示する（ステップ４０５）。ここでは、空間制御サーバ１６は決定された複製転送ノード１８−１に対して、空間制御サーバ１６に登録されたＣｏＡ、ＭＮ複製転送エリア内のそれぞれのＡＲの担当エリアにおけるＣｏＡを通知する。また、空間制御サーバ１６は、ＡＲ１を介して、ＭＮ２２に、位置登録応答、複製転送エリアに関する複製転送範囲ノード群のＡＲのネットワークプリフィックス情報、および、複製転送エリアに関する複製転送範囲ノード群において境界ノードとなるＡＲの識別子を送信する（ステップ４０６）。
【００３４】
ＭＮ２２は、空間制御サーバ１６から位置登録応答、複製転送エリアのネットワークプリフィックス情報および境界ノードの識別子を受信すると、ネットワークプリフィックス情報に基づき、複製転送エリアを構成するそれぞれの担当エリアでのＣｏＡを全て生成して、自身のＣｏＡテーブル３８に格納する（ステップ４０７）。また、ＭＮ２２は、ネットワークプリフィックス情報に基づいて、ＡＲテーブル３４を生成する（ステップ４０８）。図３（ｂ）は、ステップ４０８において生成されたＡＲテーブルの例を示す図である。図３（ｂ）に示すように、ＡＲテーブル３４には、複製転送エリアに関する複製転送範囲ノード群を構成するＡＲ（ＡＲ１〜ＡＲ４）のネットワークプリフィックスが格納されている。また、境界ノードに相当するＡＲ（ＡＲ１およびＡＲ４）には、境界ノードのフラグとして「１」が格納される。
【００３５】
先に述べたように、空間制御サーバ１６から、複製転送ノードＲ１に対して複製転送の指示が与えられている。したがって、ＭＮのホームアドレス宛てのパケットは、ＨＡ１４によりインターセプトされ、ＣｏＡ宛てにトンネリングされる。ここで、ＨＡ１４からＣｏＡまでの経路中に、複製転送ノードＲ１が配置されるため、複製転送ノードは、通知された全てのＣｏＡ宛てに、パケットを複製して転送する（ステップ４０９参照）。
【００３６】
ＭＮ２２には、ＣｏＡテーブル３８が設けられているため、複製転送エリアを構成する何れかの担当エリアに位置するときに、いずれかのＣｏＡ宛てのパケットを受信することができる。これにより、複製転送エリアにおけるパケットロスのない受信を実現することが可能となる。
【００３７】
図５に示すように、ＭＮ２２が、ＡＲ２やＡＲ３の担当エリアに移動した場合を考える（ステップ５０１参照）。担当エリアの移動は、ＡＲから出力されるＲＡ（Ｒｏｕｔｅｒ
Ａｄｖｅｒｔｉｓｅｍｅｎｔ）を受信することで、検出することができる（ステップ５０２）。ＭＮ２２は、ＡＲテーブル３４を参照して、移動先の担当エリアが、複製転送エリア中であり、かつ、移動先の担当エリアのＡＲが、境界ノードでない場合には、位置登録要求を出力しない（符号５０３参照）。
【００３８】
その一方、ＭＮ２２が、ＡＲ４の担当エリアに移動した場合を考える（ステップ５０４参照）。ＭＮ２２が、ＡＲ４からのＲＡを受信すると（ステップ５０５）、ＭＮ２２は、ＡＲテーブル３４を参照して、移動先のＡＲが、境界ノードであることを認識する。したがって、ＭＮ２２は、ＡＲ４を介して、空間制御サーバ１６に対して位置登録要求を送信する（ステップ５０６）。
【００３９】
空間制御サーバ１６は、位置登録要求にしたがって、ＭＮ２２の位置を登録する（ステップ５０７）。次いで、空間制御サーバは、位置登録要求に基づいて、ホームアドレスとＣｏＡとの対応を記憶し、ＨＡ１４に対して、パケットのトンネリングを実現するための指示を与える（ステップ５０８）。空間制御サーバ１６は、ＭＮ２２の位置に基づいて、パケットの複製転送先となる、複製転送エリアを更新する。つまり、複製転送エリアに関する複製転送範囲ノード群を再度設定する（ステップ５０９）。図１の例では、ＭＮ２２の移動に伴って、複製転送範囲ノード群を構成するＡＲとして、ＡＲ３〜ＡＲ７が設定される。また、この例では、境界ノードが、ＡＲ３およびＡＲ７と決定される。さらに、複製転送機能を有するノードである複製転送ノード（図１の符号１８−２参照）も決定される。
【００４０】
複製転送ノード１８−２（図２におけるＲ２）に対する「ｎ−ｃａｓｔｉｎｇ」設定（ステップ５１０）は、図４のステップ４０５に対応する。また、図５のステップ５１１〜５１３は、図４のステップ４０６〜４０８に対応する。なお、ステップ５１１においては、複製転送エリアのネットワークプリフィックス情報として、ＡＲ３〜ＡＲ７のネットワークプリフィックスを示す情報が、ＭＮ２２に送信され、かつ、境界ノードの識別子として、ＡＲ３およびＡＲ７を示す情報が、ＭＮ２２に送信される。図３（ｃ）は、ステップ５１３で生成されたＡＲテーブルの例を示す図である。図３（ｃ）に示すように、ＡＲテーブル３４には、複製転送エリアに関する複製転送範囲ノード群を構成するＡＲ（ＡＲ３〜ＡＲ７）のネットワークプリフィックスが格納される。また境界ノードに相当するＡＲ（ＡＲ３およびＡＲ７）には、境界ノードのフラグとして「１」が格納される。
【００４１】
これにより、新たな複製転送エリアに関する複製転送範囲ノード群ＡＲ３〜ＡＲ７において、ＭＮ２２は、新たなＣｏＡ宛てのパケットを受信することが可能となる。また、境界ノードＡＲ３或いはＡＲ７に移動した場合以外のＡＲ間の移動に際して、位置登録要求は送信されない。
【００４２】
このように本実施の形態によれば、ＭＮ２２は、複製転送エリアに関する複製転送範囲ノード群を構成するＡＲの情報、および、境界ノードの情報を把握しておき、複製転送エリア内の移動であって、かつ、移動先が境界ノードの担当エリアでなければ、位置登録を送信しない。これにより、位置登録に関するトラヒック量の削減を実現することができる。その一方、複製転送エリア内の移動であっても、移動先が境界ノードの担当エリアであれば、位置登録要求を送信する。これにより、ＭＮ２２は、新たな複製転送エリアに関する情報（つまり、新たな複製転送範囲ノード群を構成するＡＲの情報）を取得することができる。これにより、ＭＮ２２は、新たな複製転送エリア中に属することになり、複製転送エリアの変わり目（ないし複製転送エリアの切り替わり）におけるパケットロスを回避することが可能となる。
【００４３】
次に、本発明の第２の実施の形態について説明する。第２の実施の形態においては、図６に示すように、第２の実施の形態にかかる移動通信システムにおいては、空間制御サーバが設けられず、空間制御サーバが保持していた複製転送エリアに関する複製転送範囲ノード群および境界ノードを決定する機能を全てのＡＲが保持する。第２の実施の形態においても、複製転送範囲ノード群（たとえば、ＡＲ１〜ＡＲ４、ＡＲ４〜ＡＲ７）の担当エリアの集合体が、複製転送エリア（符号１１０−１、１１０−２参照）を構成し、また、マクロセル群においては、境界ノードが設定される。図６の例では、第１の複製転送エリア１１０−１に関して、ＡＲ１およびＡＲ４が境界ノードとなっている。また、第２の複製転送エリア１１０−２に関して、ＡＲ４およびＡＲ７が境界ノードとなる。
【００４４】
第２の実施の形態においては、空間制御サーバが設けられていないため、複製転送エリアの決定（つまり、複製転送範囲ノード群の決定）は、それぞれのＡＲにより実現される。以下、図７および図８を参照して、第２の実施の形態にかかる移動通信システムにおける位置登録処理について説明する。たとえば、ＭＮ２２が、ＡＲ１２−３（図６のＡＲ３に相当）の担当エリアにおいて、電源を投入するなど、初めてアクセスネットワークに入ったと考える。ＭＮ２２は、ＡＲ３を介して、ＨＡ１４に対して、位置登録要求を送信する（ステップ７０１）。ＨＡ１４は、位置登録要求に応じて、位置登録処理を実行し（ステップ７０２）、処理後に、位置登録応答を、ＭＮ２２に送信する（ステップ７０４）。
【００４５】
ＡＲ３は、第１の実施の形態にかかる空間制御サーバと同様に、複製転送エリアに関する複製転送範囲ノード群および境界ノードを決定する（ステップ７０３）。ステップ７０３の処理は、図４のステップ４０４の処理とほぼ同様である。なお、第２の実施の形態においては、複製転送機能を有するノード（第１の実施の形態における符号１８−１、１８−２参照）の機能も、ＡＲが有している。ステップ７０３の処理の後、ＡＲ３は、ＭＮ２２に対して、複製転送エリア情報、つまり、複製転送エリアのネットワークプリフィックス情報、および、境界ノードの識別子を送信する（ステップ７０５）。ステップ７０５における、ＡＲからＭＮへの情報の通知は、ＲＡを利用しても良い。また、ＡＲがＭＮ宛てに送信する際にパケットともに通知しても良い。複製転送エリア情報を通知するタイミングは、ＭＮからのＲｏｕｔｅｒ  Ｓｏｌｉｃｉｔａｔｉｏｎ（ルータ要請）に応答するタイミングであっても良い。さらには、初めてＭＮからパケットが送信されたタイミングであっても良いし、ＡＲが新たなＣｏＡ宛に初めてパケットを送信するタイミングであっても良い。ＭＮ２２におけるステップ７０６および７０７の処理は、図４のステップ４０７および４０８の処理と同様である。以後ＡＲ３は複製転送エリア内の全てのＣｏＡ宛てにパケットを複製して転送する(ステップ７０８)。
【００４６】
ＭＮ２２が、ＡＲ２或いはＡＲ３の担当エリアに移動した場合を考える（ステップ８０１）。図８は、ＭＮ２２が、ＡＲ２の担当エリアに移動した場合を示している。第１の実施の形態と同様に、担当エリアの移動は、ＡＲから出力されるＲＡを受信することで、検出することができる（ステップ８０２）。ＭＮ２２は、ＡＲテーブル３４を参照して、移動先の担当エリアが、複製転送エリア中であり、かつ、移動先の担当エリアのＡＲが、境界ノードでない場合には、位置登録要求を出力しない（符号８０３参照）。
【００４７】
その一方、ＭＮ２２が境界ノード（図８の例では、ＡＲ１或いはＡＲ４）に移動した場合を考える。たとえば、図８に示すように、ＭＮ２２が、ＡＲ４からのＲＡを受信すると（ステップ８０５）、ＭＮ２２は、ＡＲテーブル３４を参照して、移動先のＡＲが、境界ノードであることを認識する。したがって、ＭＮ２２は、ＡＲ４を介して、ＨＡ１４に対して位置登録要求を送信する。
【００４８】
ＨＡ１４は、位置登録要求にしたがって、ＭＮ２２の位置を登録し（ステップ８０７）、位置登録応答をＭＮ２２に返す（ステップ８０９）。
【００４９】
ＡＲ４は、新たな複製転送エリアを決定する（ステップ８０８）。つまり、新たな複製転送範囲ノード群を決定する。新たな複製転送エリアのネットワークプリフィックス情報や境界ノードの識別子が、ＭＮ２２に送信され（ステップ８１０）、ＭＮ２２において、全てのＣｏＡの生成・記憶（ステップ８１１）およびＡＲテーブルの更新（ステップ８１２）が実行される。
【００５０】
上記第２の実施形態は、ＡＲが第１の実施形態における空間制御サーバが保持していた複製転送エリアに関する複製転送範囲ノード群および境界ノードを決定する機能、及び複製転送ノードの機能を有していたが、これらの機能をモバイルＩＰにおけるホームエージェントや、階層化モバイルＩＰにおけるＭｏｂｉｌｉｔｙ  Ａｎｃｈｏｒ  Ｐｏｉｎｔ（ＭＡＰ）が実現することも可能である。
【００５１】
第２の実施の形態によれば、空間制御サーバを設けることなく、位置登録に関するトラヒック量を削減し、かつ、複製転送エリアの変わり目でもパケットロスを回避することが可能となる。
【００５２】
次に、本発明にかかる複製転送エリアの決定について、例を用いて説明する。第１の実施の形態においては、空間制御サーバ１６が、ＭＮ２２の位置などにしたがって、複製転送エリアを決定する。第１の決定手法においては、空間制御サーバ１６は、ＭＮ２２が属する担当エリアが、複製転送エリアにおいて、ほぼ空間的に中心に位置するように、複製転送エリアを設定する。図９（ａ）に示すように、ＭＮ２２が、あるＡＲ４の担当エリア９００−４に位置した場合には、その周囲に２つ分だけ担当エリアが位置するように、複製転送エリア９１０−１が決定され、かつ、その両端の担当エリアを有するＡＲ（つまり、ＡＲ２およびＡＲ６）が境界ノードとして決定される。図９（ａ）では、理解を容易にするために、ＡＲの担当エリアを一次元的に表しているが、無論、ＡＲの担当エリアは二次元或いは三次元的に配置されている。
【００５３】
ＭＮ２２が、境界ノードＡＲ６に位置した場合には、空間制御サーバ１６は、当該ＡＲ６が、ほぼ空間的に中心に位置するように新たな複製転送エリア９１０−２を決定し、かつ、両端の担当エリアを有するＡＲ（つまり、ＡＲ４およびＡＲ８）を境界ノードと決定する。第２の実施の形態においても、上記複製転送エリアの決定手法を適用することができる。
【００５４】
さらに、上述したＡＲの空間的な位置関係に加えて、ＭＮの移動方向および移動速度を考慮して、空間的に担当エリアが移動方向に大きくなるように、複製転送エリアを決定しても良い。たとえば、図９（ｂ）に示すように、ＭＮが矢印９２０の方向に移動してれば、その方向に、より担当エリアの数が多くなるように複製転送エリアが決定される（符号９２１参照）。また、本実施の形態では、境界ノードは空間的に最も外側に位置するＡＲとしているが、例えば、端末装置が高速で移動している場合は、複製転送エリアの切り替えが間に合わずパケットロスが生じる可能性があるため、境界ノードはエリア間移動によるパケットロスが生じないような切り替えを可能とするノードを選択してもよい。
【００５５】
上述した例では、空間的な担当エリアの位置関係に基づいて、複製転送エリアが決定されているが、これに限定されるものではない。ＡＲの空間的な配置と、ＡＲ間のネットワーク的な配置に依存関係がある場合（空間的に近いＡＲはネットワーク的に近いホップ数に位置する場合）、ＡＲ間のネットワーク的な位置関係に基づいて、複製転送エリアが決定されても良い。ここでは、ＡＲどうしが何ホップだけ離間して位置しているかを示すテーブルを、空間制御サーバ１６（第１の実施の形態）或いは各ＡＲ（第２の実施の形態）が保持し、空間制御サーバ１６或いは各ＡＲが、このテーブルを参照して、一定のホップ数の範囲にある一群のＡＲを、複製転送範囲ノード群と決定し、当該一群のＡＲの担当エリアを複製転送エリアとすれば良い。この場合には、たとえば、最もホップ数が離れた一群のＡＲを、境界ノードと決定しても良い。
ＭＮは、一般にＡＲ間の移動時に位置登録要求を出す他、位置登録のライフタイムが切れる時にも位置登録要求を出す場合がある。本発明は、前者のＡＲ間移動時の位置登録に関するトラヒック量の削減を実現しており、上述した実施の形態では、非境界ノードにおいて、ＭＮは位置登録要求を送信しない。しかし、位置登録要求のライフタイムが切れた場合は、非境界ノードにおいても位置登録要求を送信することもある。ライフタイムが切れた場合の位置登録要求は必ず送信する必要があり、この場合でもＭＮの移動に伴う位置登録要求送信数は本発明により減らすことができる。
【００５６】
本発明は、以上の実施の形態に限定されることなく、特許請求の範囲に記載された発明の範囲内で、種々の変更が可能であり、それらも本発明の範囲内に包含されるものであることは言うまでもない。
【図面の簡単な説明】
【００５７】
【図１】図１は、本発明の実施の形態にかかる移動通信システムの概略を示すブロックダイヤグラムである。
【図２】図２は、本実施の形態にかかる位置登録制御の概略を示す図である。
【図３】図３（ａ）は、本実施の形態にかかるＭＮの構成を示すブロックダイヤグラム、図３（ｂ）、（ｃ）は、それぞれ、ＭＮにおいて記憶されたＡＲテーブルのデータ構成の例を示す図である。
【図４】図４は、本実施の形態にかかる移動通信システムにおけるＭＮの位置登録処理を示すフローチャートである。
【図５】図５は、本実施の形態にかかる移動通信システムにおけるＭＮの位置登録処理を示すフローチャートである。
【図６】図６は、本発明の第２の実施の形態にかかる移動通信システムの概略を示すブロックダイヤグラムである。
【図７】図７は、第２の実施の形態にかかる移動通信システムにおけるＭＮの位置登録処理を示すフローチャートである。
【図８】図８は、第２の実施の形態にかかる移動通信システムにおけるＭＮの位置登録処理を示すフローチャートである。
【図９】図９は、本発明において、複製転送エリアに関するマクロセル群の決定手法の例を説明する図である。
【符号の説明】
【００５８】
１２      ＡＲ
１４      ＨＡ
１６      空間制御サーバ
１８      複製転送ノード
２０      ネットワーク
２２      ＭＮ
１００    担当エリア
１１０    複製転送エリア
【図１】
2006246125.tif 000003
【図２】
2006246125.tif 000004
【図３】
2006246125.tif 000005
【図４】
2006246125.tif 000006
【図５】
2006246125.tif 000007
【図６】
2006246125.tif 000008
【図７】
2006246125.tif 000009
【図８】
2006246125.tif 000010
【図９】
2006246125.tif 000011